(57)【要約】      （修正有）【課題】収納装置を提供する。【解決手段】収容本体１０と、自動巻き上がりシャッター２０とを備える。収容本体は、底部、開口が設けられる側壁部１２、収容空間を有する。開口は上側縁部、下側縁部を有し、上側縁部近傍に第一固定部が、下側縁部の近傍に第二固定部が、それぞれ設けられる。自動巻き上がりシャッターは、シャッター部２１、巻帯部２２、上側固定部、下側固定部を有する。巻帯部は細長い帯状片で、シャッター部に固定され、シャッター部に同調的に動作し、平坦状態ＰＡ、底部巻き上がり状態、巻き上がり中状態、自動巻き上がり状態を有する。上側固定部は第一固定部と一体に固定される。下側固定部は第二固定部に連結可能であり、また離間可能である。巻帯部２２とシャッター部は、平坦状態ＰＡである場合、開口を覆うのに用いられ、自動巻き上がり状態である場合、開口を覆わない。【選択図】図１
0003222131.tif 000002
【実用新案登録請求の範囲】
【請求項１】
収容本体と、
自動巻き上がりシャッターと、を備える収納装置であって、
前記収容本体は、底部、少なくとも一つの側壁部、及び収容空間を有し、前記側壁部に開口が設けられ、
前記開口は上側縁部及び下側縁部を有し、
前記上側縁部の近傍に第一固定部が設けられ、
前記下側縁部の近傍に第二固定部が設けられ、
前記自動巻き上がりシャッターは、シャッター部、少なくとも一つの巻帯部、少なくとも一つの上側固定部、及び少なくとも一つの下側固定部を有し、
前記巻帯部は前記シャッター部に固定され、前記シャッター部に同調的に動作し、少なくとも一つの平坦状態、底部巻き上がり状態、巻き上がり状態、自動巻き上がり状態を有し、細長い帯状片であり、
前記上側固定部は、前記第一固定部と一体に固定され、
前記下側固定部は、前記第二固定部に連結可能であり、また前記第二固定部から離間可能であり、
前記巻帯部及び前記シャッター部は、
前記平坦状態である場合、前記開口を覆うのに用いられ、
前記自動巻き上がり状態である場合、前記開口を覆わないことを特徴とする収納装置。
【請求項２】
前記開口を覆うよう設けられるガーゼをさらに備えることを特徴とする請求項１に記載の収納装置。
【請求項３】
前記第一固定部と前記上側固定部とが対応する連結構造は、縫合構造、被覆磁気構造、露出磁気構造、接着構造、及び、貼り合わせ構造のうちのいずれか一つであることを特徴とする請求項１に記載の収納装置。
【請求項４】
前記被覆磁気構造、及び、前記露出磁気構造は、いずれも、磁石と金属の対応構造、または、磁石と磁石の対応構造であることを特徴とする請求項３に記載の収納装置。
【請求項５】
前記接着構造は、面ファスナーの対応構造であることを特徴とする請求項３に記載の収納装置。
【請求項６】
前記第二固定部と前記下側固定部との対応する連結構造は、被覆磁気構造、露出磁気構造、及び接着構造のうちのいずれか一つであることを特徴とする請求項１に記載の収納装置。
【請求項７】
前記被覆磁気構造、及び、前記露出磁気構造は、いずれも、磁石と金属の対応構造、または、磁石と磁石の対応構造であることを特徴とする請求項６に記載の収納装置。
【請求項８】
前記接着構造は、面ファスナーの対応構造であることを特徴とする請求項６に記載の収納装置。
【請求項９】
前記巻帯部は、金属性の細長い帯状片であることを特徴とする請求項１に記載の収納装置。
【考案の詳細な説明】
【技術分野】
【０００１】
本考案は、収納装置に関する。特に、自動巻き上がりシャッターを有する収納装置に関する。
【背景技術】
【０００２】
公知の収容装置には多くの種類がある。一般的なペットケース（図示せず）は、基本的に上向きの開口が直接設けられ、開口がペットの出し入れに使われる。
また、側面に通風口（通風窓、通気口）が増設されているペットケースもあり、伝統的なカバーに覆われる設計となっている。しかし、伝統的な開口を覆うカバーが開かれたとき、下方向または側面に展開する。いずれの方向に展開しても、開かれたカバーが揺れるという問題が生じる。または、別の固定ユニットを設けたとしても、それを固定する必要があり、面倒である。
よって、上述の従来技術の欠点を解決する技術を研究開発する必要がある。
【考案の概要】
【考案が解決しようとする課題】
【０００３】
本考案の目的は、開放方式が新しく面白く、かつ、開放後に揺れることがない自動巻き上がりシャッターを有する収納装置を提供することにある。
特に、本考案が解決しようとする課題は、収容装置の通風開口のカバーが開かれたとき、下方向または側面に展開して、いずれの方向に展開しても、開かれたカバーが揺れるという問題、または、別の固定ユニットを設けたとしても、それを固定する必要があり、面倒であるという問題である。
【課題を解決するための手段】
【０００４】
本考案は、上述の目的を達成するために、収容本体と、自動巻き上がりシャッターとを有する収納装置を提供する。
収容本体は、底部、少なくとも一つの側壁部、及び収容空間を有し、側壁部に開口が設けられ、開口は上側縁部及び下側縁部を有する。
収容本体は、上側縁部の近傍に第一固定部が設けられ、下側縁部の近傍に第二固定部が設けられる。
自動巻き上がりシャッターは、シャッター部、少なくとも一つの巻帯部、少なくとも一つの上側固定部、及び少なくとも一つの下側固定部を有する。巻帯部はシャッター部に固定され、シャッター部を同調的に動作させ、少なくとも一つの平坦状態、底部巻き上がり状態、巻き上がり状態、自動巻き上がり状態を有する。
巻帯部は、細長い帯状片である。
上側固定部は、第一固定部と一体に固定される。
下側固定部は、第二固定部に連結可能であり、第二固定部から離間可能である。
巻帯部及びシャッター部は、平坦状態である場合、開口を覆うのに用いられる。
巻帯部及びシャッター部は、自動巻き上がり状態である場合、開口を覆わない。
【図面の簡単な説明】
【０００５】
【図１】本考案の斜視図である。
【図２】本考案の分解第一の斜視図である。
【図３】図２のＩＩＩ−ＩＩＩ線断面を示す断面図である。
【図４Ａ】本考案の巻帯部の平坦状態示す斜視図である。
【図４Ｂ】本考案の巻帯部の底部巻き上がり状態を示す斜視図である。
【図４Ｃ】本考案の巻帯部の巻き上がり状態を示す斜視図である。
【図４Ｄ】本考案の巻帯部の自動巻き上がり状態を示す斜視図である。
【図５】図４ＡのＶ−Ｖ線断面を示す断面図である。
【図６】本考案の分解第二の斜視図である。
【図７】図６のＶＩＩ−ＶＩＩ線断面を示す断面図である
【図８Ａ】本考案の操作プロセスを示す第一の斜視図である。
【図８Ｂ】図８ＡのＶＩＩＩＢ−ＶＩＩＩＢ線断面を示す断面図である。
【図９Ａ】本考案の操作プロセスを示す第二の斜視図である。
【図９Ｂ】図９ＡのＩＸＢ−ＩＸＢ線断面を示す断面図である。
【図１０Ａ】本考案の操作プロセスを示す第三の斜視図である。
【図１０Ｂ】図１０ＡのＸＢ−ＸＢ線断面を示す断面図である。
【考案を実施するための形態】
【０００６】
図１〜７に示すように、本考案は、自動巻き上がりシャッターを有する収納装置であり、収容本体１０と、自動巻き上がりシャッター２０と、を備える。
【０００７】
収容本体１０は、底部１１、少なくとも一つの側壁部１２、及び収容空間１３を有する。
側壁部１２に開口１２１が設けられ、開口１２１は上側縁部１２Ａ及び下側縁部１２Ｂを有する。
収容本体１０は、上側縁部１２Ａの近傍に第一固定部１０Ａが設けられ、下側縁部１２Ｂの近傍に第二固定部１０Ｂが設けられる。
【０００８】
自動巻き上がりシャッター２０は、シャッター部２１、少なくとも一つの巻帯部２２、少なくとも一つの上側固定部２３、及び少なくとも一つの下側固定部２４を有する。
巻帯部２２はシャッター部２１に固定され、シャッター部２１を同調的に動作させることが可能であり、少なくとも一つの平坦状態ＰＡ、底部巻き上がり状態ＰＢ、巻き上がり状態ＰＣ、自動巻き上がり状態ＰＤを有する。
巻帯部２２は、細長い帯状片である。
上側固定部２３は、第一固定部１０Ａと一体に固定される。
下側固定部２４は、第二固定部１０Ｂに連結可能であり、第二固定部１０Ｂから離間可能である。
【０００９】
図１、図４Ａに示すように、巻帯部２２及びシャッター部２１は、平坦状態ＰＡである場合、開口１２１を覆うのに用いられる。
【００１０】
図４Ｄ、図１０Ａ、図１０Ｂに示すように、巻帯部２２及びシャッター部２１は、自動巻き上がり状態ＰＤである場合、開口１２１を覆わない。
【００１１】
好ましくは、自動巻き上がりシャッターを有する収納装置は、ガーゼ３０をさらに備える。
ガーゼ３０は、開口１２１を覆うよう設けられ、虫または汚れを防止する。また、開口１２１を開放することができ、収容本体１０の出入りに用いられる。
【００１２】
収容本体１０は、ハンドルが設けられない箱構造であるか、または、ハンドルが設けられる袋（箱）構造である。
【００１３】
第一固定部１０Ａと上側固定部２３とが対応する連結構造は、縫合構造、被覆磁気構造、露出磁気構造、接着構造、及び、貼り合わせ構造のうち少なくとも一つである。
【００１４】
被覆磁気構造、及び、露出磁気構造は、いずれも、磁石と金属の対応構造、または、磁石と磁石の対応構造である。
接着構造は、面ファスナーの対応構造である。
【００１５】
第二固定部１０Ｂと下側固定部２４との対応する連結構造は、被覆磁気構造、露出磁気構造、及び接着構造のうちいずれか一つである。
【００１６】
被覆磁気構造、及び、露出磁気構造は、いずれも、磁石と金属の対応構造、または、磁石と磁石の対応構造である。
接着構造は、面ファスナーの対応構造である。
巻帯部２２は、金属性の細長い帯状片であり、図５に示すように、その横断面は、若干湾曲し（図４Ａ、図４Ｂ、図４Ｃ、図４Ｄは、説明の便宜のため湾曲を省略した）、伸縮可能な巻き尺のような、金属性の細長い帯状片である。巻帯部２２は、あらかじめループ状に巻き取られたときに安定した状態となるような自動巻き上がり特性を有する。
【００１７】
本考案の実際の使用方式を以下の通り説明する。
まず、この自動巻き上がりシャッター２０は、平坦状態ＰＡ（図４Ａを参照）であり、この開口１２１を覆う（図１を参照）。
その後、使用者は、指で軽くシャッター部２１の底端を展開させる（図８Ａ、図８Ｂを参照）。このとき、図４Ｃに示すように、巻帯部２２とシャッター部２１とは同調的に動作して、巻き上がり状態ＰＣとなり、開口１２１に覆わない。
そして、自動巻き上がり過程は継続的に行い、図１０Ａ及び図１０Ｂに示すように、自動巻き上がり状態ＰＤとなる。このとき、図４Ｄに示すように、巻帯部２２とシャッター部２１は、同調的に動作して、自動巻き上がり状態ＰＤとなる。この開口１２１は覆われていない（完全に開放される、または、大部分が開放される）。
図８Ｂ、図９Ｂ、図１０Ｂでは、巻帯部２２は省略され、示されていない。
以上により、自動巻き上がり動作が完了する。この自動巻き上がり動作は非常に新しく、興味深い。
【００１８】
反対的に、元の状態に戻る場合、使用者は手で完全に自動的に巻き上がったシャッター部２１（巻帯部２２）を徐々に広げ、元の平坦状態ＰＡにする。これは使用に際し、非常に便利である。
【００１９】
本考案の重点は、シャッター部２１と巻帯部２２とは一体に固定されており、両者は同調的に動作し、第二固定部１０Ｂと下側固定部２４との間が、互いに対応する接着構造、または、互いに対応する磁気構造であることである。
自動巻き上がりシャッター２０が、平坦状態ＰＡに位置し、開口１２１を封じるとき、指で軽くシャッター部２１の底端を少し展開させ（図８Ａ、図８Ｂ参照）、シャッター部２１を上側に引っ張ると（図９Ａ、図９Ｂ参照）、下側固定部２４は第二固定部１０Ｂから離間する。
図１０Ａ及び図１０Ｂに示すように、巻帯部２２は、シャッター部２１を連動させ、第一固定部１０Ａ側へと巻き上げられ、最後に自動巻き上がり状態ＰＤとなる。このとき、開口１２１は覆われず、完全に開放されるか、大部分が開放される。
【００２０】
本考案の収容本体１０の応用領域は制限されない。少なくとも、ペットケース、工具入れ、一般収容ケースなどの製品に応用される。
【００２１】
本考案のメリット及び効果は以下の通りである。
【００２２】
（１）本考案の自動巻き上がりシャッターの開放方式は新しく面白い。ペットが収容装置に収容されるとき、風通しがよくないことにより窒息する危険がある（工具入れに用いられる場合は風通しがよくないことにより臭くなるという問題が生じる）。ペットケースに用いられる場合、ペットの飼い主は、開口のシャッター部を開けて換気する必要がある。本考案は自動的に巻き上がるよう設計されている。この、操作時に自動的に巻き上がるという特徴は、非常に面白く、新しく、市場価値が高い。工具入れに使われるときも同様に、新しく面白い。以上、自動巻き上がりシャッターの開放方式は、新しく面白い。
【００２３】
（２）本考案の自動巻き上がりシャッターは、開放された後、揺れない。従来技術では開口部のシャッター部が開けられたとき、下に展開するか横に展開するか関わらず、開放後にシャッター部が揺れるという問題が発生する。または、他の固定ユニットを設ける必要があって、面倒になる。本考案の自動巻き上がりシャッターは、巻き上がった後、一時的に固定されて（自動巻き上がり状態）揺れることがなく、シャッター部が開放された後でも、依然として全体の清潔な状態を維持する。以上、自動巻き上がりシャッターは、開放された後、揺れることがない。
【００２４】
上記は、本考案の比較的良い実施例であるが、実施例に対して行われたいずれの修正または変更のいずれも本考案の趣旨及び範囲に属する。
【符号の説明】
【００２５】
１０    収容本体
１０Ａ  第一固定部
１０Ｂ  第二固定部
１１    底部
１２    側壁部
１２１  開口
１２Ａ  上側縁部
１２Ｂ  下側縁部
１３    収容空間
２０    自動巻き上がりシャッター
２１    シャッター部
２２    巻帯部
２３    上側固定部
２４    下側固定部
３０    ガーゼ
ＰＡ    平坦状態
ＰＢ    底部巻き上がり状態
ＰＣ    巻き上がり状態
ＰＤ    自動巻き上がり状態
【図１】
0003222131.tif 000003
【図２】
0003222131.tif 000004
【図３】
0003222131.tif 000005
【図４Ａ】
0003222131.tif 000006
【図４Ｂ】
0003222131.tif 000007
【図４Ｃ】
0003222131.tif 000008
【図４Ｄ】
0003222131.tif 000009
【図５】
0003222131.tif 000010
【図６】
0003222131.tif 000011
【図７】
0003222131.tif 000012
【図８Ａ】
0003222131.tif 000013
【図８Ｂ】
0003222131.tif 000014
【図９Ａ】
0003222131.tif 000015
【図９Ｂ】
0003222131.tif 000016
【図１０Ａ】
0003222131.tif 000017
【図１０Ｂ】
0003222131.tif 000018